(57)【要約】【課題】  漏れ防止に対する信頼性の高い開閉弁を提供する。【解決手段】一次室４と二次室５とを連通させる弁孔６ａの一次室４側の開口部に第１弁座７を形成し、弁孔６ａの二次室５側の開口部に第２弁座８を形成する。一次室４内には、第１弁座７に対して離間、着座することによって一次室４と二次室５とを連通、遮断する第１弁体１３を設ける。二次室５内には、第２弁座８に対して離間、着座することによって一次室４と二次室５とを連通、遮断する第２弁体１６を設ける。【選択図】図２
2007198463.tif 000002
【特許請求の範囲】
【請求項１】
内部に、一次室、二次室及び上記一次室と上記二次室とを隔てる隔壁部が形成されたハウジングと、このハウジングに移動可能に設けられた弁体とを備え、上記隔壁部には上記一次室と上記二次室とを連通させる弁孔が形成され、この弁孔の一端開口部に弁座が形成され、上記弁体が上記弁座に対して離間、着座することによって上記一次室と上記二次室とが連通、遮断される開閉弁において、
上記弁孔の他端開口部に第２弁座が形成され、上記ハウジングに上記第２弁座に対して離間、着座することによって上記一次室と上記二次室とを連通、遮断する第２弁体が移動可能に設けられていることを特徴とする開閉弁。
【請求項２】
上記第２弁座が上記弁座と軸線を一致させて配置されていることを特徴とする請求項１に記載の開閉弁。
【発明の詳細な説明】
【技術分野】
【０００１】
この発明は、玉型弁等の開閉弁に関する。
【背景技術】
【０００２】
一般に、開閉弁は、ハウジングと弁体とを備えている。ハウジングの内部には、一次室、二次室及び一次室と二次室とを隔てる隔壁部が形成されている。隔壁部には、一次室と二次室とを連通させる弁孔が形成されている。弁孔の一端開口部には、弁座が形成されている。一方、弁体は、弁座に対して着座、離間することができるようにハウジングに移動可能に設けられている。弁体が弁座に着座すると、一次室と二次室とが遮断され、開閉弁が閉弁状態になる。弁体が弁座から離間すると、一次室と二次室とが弁孔を介して連通し、開閉弁が開弁状態になる（特許文献１参照）。
【０００３】
【特許文献１】特開２００１−２０８２１７号公報
【発明の開示】
【発明が解決しようとする課題】
【０００４】
上記従来の開閉弁においては、一次室と二次室とを一つの弁体だけで遮断しているため、漏れ防止の信頼性が低いという問題があった。例えば、弁座と弁体との間に異物が噛み込むと、漏れが発生してしまう。
【課題を解決するための手段】
【０００５】
この発明は、上記の問題を解決するために、内部に、一次室、二次室及び上記一次室と上記二次室とを隔てる隔壁部が形成されたハウジングと、このハウジングに移動可能に設けられた弁体とを備え、上記隔壁部には上記一次室と上記二次室とを連通させる弁孔が形成され、この弁孔の一端開口部に弁座が形成され、上記弁体が上記弁座に対して離間、着座することによって上記一次室と上記二次室とが連通、遮断される開閉弁において、上記弁孔の他端開口部に第２弁座が形成され、上記ハウジングに上記第２弁座に対して離間、着座することによって上記一次室と上記二次室とを連通、遮断する第２弁体が移動可能に設けられていることを特徴としている。
この場合、上記第２弁座が上記弁座と軸線を一致させて配置されていることが望ましい。
【発明の効果】
【０００６】
上記特徴構成を有するこの発明によれば、一次室と二次室とを二つの弁体によって遮断しているので、漏れ防止の信頼性を向上させることができる。例えば、弁体と弁座との間に異物が噛み込んだ場合には、第２弁体が一次室と二次室との間を遮断し、第２弁体と第２弁座との間に異物が噛み込んだ場合には、弁体が一次室と二次室とを遮断する。
【発明を実施するための最良の形態】
【０００７】
以下、この発明を実施するための最良の形態を、図面を参照して説明する。
図１は、この発明の一実施の形態を示す縦断面図であり、図２は、その要部の拡大図である。これらの図に示すように、この実施の形態の玉型弁（開閉弁）１は、ハウジング２を備えている。ハウジング２は、本体部３及び上下の雌ねじ部材９，１０を有している。
【０００８】
本体部３の内部には、一次室４、二次室５及び隔壁部６が形成されている。一次室４には、水等の流体が流入口３ａを通って流入する。二次室５内の流体は、流出口３ｂを通って外部に流出する。隔壁部６には、弁孔６ａが形成されている。この弁孔６ａによって一次室４と二次室５とが連通させられている。したがって、一次室４内に流入した流体は、弁孔６ａを通って二次室５に流入する。弁孔６ａは、その軸線を上下方向に向けて形成されているが、軸線を水平方向に向けて形成されていてもよい。
【０００９】
弁孔６ａの上端開口部（一端開口部）には、下方へ向かって小径になるテーパ状の第１弁座（弁座）７が形成されている。弁孔６ａの下端開口部には、上方へ向かって小径になる第２弁座８が形成されている。第２弁座８は、その軸線を第１弁座７の軸線と一致させて配置されている。第２弁座８は、第１弁座７の軸線上に配置することなく、他の軸線上に配置してもよい。その場合、第２弁座８は、その軸線が第１弁座７の軸線と平行になるように配置するのが望ましい。
【００１０】
本体部２の上面には、上雌ねじ部材９がボルト及びナット等の固定手段（図示せず）によって固定されている。上雌ねじ部材９は、雌ねじ孔９ａを有しており、その雌ねじ孔９ａの軸線を第１、第２弁座７，８の軸線と一致させて配置されている。本体部２の下面には、下雌ねじ部材１０がボルト及びナット等の固定手段（図示せず）によって固定されている。下雌ねじ部材１０は、上雌ねじ部材９と上下対称に形成されており、雌ねじ孔１０ａを有している。そして、雌ねじ部１０ａの軸線を第１、第２弁座７，８の軸線と一致させて配置されている。
【００１１】
上雌ねじ部材９の雌ねじ孔９ａには、第１弁軸１１が螺合されている。この第１弁軸１１の上端部は、雌ねじ部材９から上方に突出しており、そこには第１ハンドル１２が設けられている。第１弁軸１１の下端部は、上雌ねじ部材９及び本体部３の上壁部を貫通して二次室５内に入り込んでいる。二次室５内に入り込んだ第１弁軸１１の下端部には、第１弁体（弁体）１３が第１弁軸１１の軸線を中心として回動可能に、かつ上下方向へ移動不能に取り付けられている。第１弁体１３は、その軸線を第１弁座７の軸線と一致させて配置されている。したがって、第１ハンドル１２によって第１弁軸１１を回動させ、第１弁体１３を上下方向へ移動させると、第２弁体１３が第１弁座７に対して着座、離間する。第１弁体１３が第１弁座７に着座すると、弁孔６ａが閉じられ、一次室４と二次室５とが第１弁体１３によって遮断される。第１弁体１３が第１弁座７から離間すると、弁孔６ａが開かれ、一次室４と二次室５とが弁孔６ａを介して連通する。
【００１２】
下雌ねじ部材１０の雌ねじ孔１０ａには、第２弁軸１４が螺合されている。この第２弁軸１４の下端部は、下雌ねじ部材１０から下方に突出しており、そこには第２ハンドル１５が設けられている。第２弁軸１４の上端部は、下雌ねじ部材１０及び本体部３の下壁部を貫通して一次室４内に入り込んでいる。一次室４内に入り込んだ第２弁軸１４の上端部には、第２弁体１６が第２弁軸１４の軸線を中心として回動可能に、かつ上下方向へ移動不能に取り付けられている。第２弁体１６は、その軸線を第２弁座８の軸線と一致させて配置されている。したがって、第２ハンドル１５によって第２弁軸１４を回動させ、第２弁体１６を上下方向へ移動させると、第２弁体１６が第２弁座８に対して着座、離間する。第２弁体１６が第２弁座８に着座すると、弁孔６ａが閉じられ、一次室４と二次室５とが第２弁体１６によって遮断される。第２弁体１６が第２弁座８から離間すると、弁孔６ａが開かれ、一次室４と二次室５とが弁孔６ａを介して連通する。
【００１３】
上記構成の玉型弁１は、第２弁体１６を第２弁座８から離間させた状態において、第１弁体１３を第１弁座７に対して着座、離間させることにより、あるいは第１弁体１３を第１弁座７から離間させた状態において、第２弁体１６を第２弁座８に対して着座、離間させることにより、従来の玉型弁と同様に使用することができる。
【００１４】
また、第１弁体１３を第１弁座７に対して着座、離間させるとともに、第２弁体１６を第２弁座８に対して着座、離間させることも可能である。そのようにして使用した場合には、一次室４と二次室５とが二つの弁体１３，１６によって遮断されるので、漏れに対する信頼性を向上させることができる。例えば、第１弁体１３と第１弁座７との間に異物が噛み込んだとしても、第２弁体１５が一次室４と二次室５とを遮断する。逆に、第２弁体１６と第２弁座８との間に異物が噛み込んだ場合には、第１弁体１３が一次室４と二次室５とを遮断する。これによって、漏れを確実に防止することができる。
【００１５】
また、この発明に係る玉型弁１によれば、第１、第２弁体１３，１６の第１、第２弁座７，８に対する接触圧を過度に大きくすることなく、一次室４と二次室５とを高い密封性をもって遮断することができる。
すなわち、従来の玉型弁のように、第１、第２弁体１３，１６のうちのいずれか一方だけを採用したものとしたとき、例えば第１弁体１３だけを採用したものとしたときには、一次室４と二次室５とを高い密封性をもって遮断するためには、第１弁体１３を第１弁座７に強く押し付けなければならない。しかし、第１弁体１３を第１弁座７に過度に強く押し付けると、両者の接触面に傷等が発生し、それ以後の漏れの原因になることがある。その点、この発明の玉型弁１では、一次室４と二次室５とを二つの弁体１３，１６によって遮断しているので、弁体１３，１６の弁座７，８に対する押圧力を過度に大きくすることなく、一次室４と二次室５との間を高い密封性をもって遮断することができる。
【００１６】
上記のように、この発明に係る玉型弁１は、一次室４と二次室とを高い密封性をもって遮断することができ、漏れ防止に対する信頼性は従来の玉型弁を直列に二つ設けた場合とほぼ同等である。したがって、従来の玉型弁に代えてこの発明に係る玉型弁１を用いる場合には、管路中に直列に配置された二つの玉型弁に代えて一つの玉型弁１だけで足りる。したがって、狭い空間にも玉型弁１を設置することができる。
【図面の簡単な説明】
【００１７】
【図１】この発明の一実施の形態を示す縦断面図である。
【図２】同実施の形態の要部を示す縦断面図である。
【符号の説明】
【００１８】
１  玉型弁（開閉弁）
２  ハウジング
４  一次室
５  二次室
６  隔壁部
６ａ  弁孔
７  第１弁座（弁座）
８  第２弁座
１３  第１弁体（弁体）
１６  第２弁体
【図１】
2007198463.tif 000003
【図２】
2007198463.tif 000004